(57)【要約】【課題】ある装置の機能を用いる処理を行うにあたって、その処理を指示する指示者がその装置を占有できる状態になるまで待たなくてすむようにする。【解決手段】画像処理装置１０では、受信部４１が、自装置の機能である第１の機能を用いる処理の指示を他の装置から受け付け、送信部４３が、受信部４１が指示を他の装置から受け付けた場合に、他の装置が自装置の第１の機能の代わりとなる機能である第２の機能を有していれば、第２の機能を用いる処理の指示を他の装置に対して行う。【選択図】図１０
2018037816.tif 000002
【特許請求の範囲】
【請求項１】
自装置の機能である第１の機能を用いる処理の指示を他の装置から受け付ける受付手段と、
前記受付手段が前記指示を前記他の装置から受け付けた場合に、前記他の装置が自装置の前記第１の機能の代わりとなる機能である第２の機能を有していれば、当該第２の機能を用いる前記処理の指示を前記他の装置に対して行う指示手段と
を備えたことを特徴とする処理装置。
【請求項２】
前記指示手段は、前記他の装置の前記第２の機能を特定する情報を表示する指示を、前記他の装置に対して行うことを特徴とする請求項１に記載の処理装置。
【請求項３】
前記指示手段は、自装置を操作することによって自装置の使用を許可されている使用者がいない場合に、自装置の前記第１の機能の使用状況を更に表示する指示を、前記他の装置に対して行うことを特徴とする請求項２に記載の処理装置。
【請求項４】
前記指示手段は、自装置を操作することによって自装置の使用を許可されている使用者が前記他の装置を操作することによっても自装置の使用を許可されている場合に、自装置の前記第１の機能の使用状況を更に表示する指示を、前記他の装置に対して行うことを特徴とする請求項２に記載の処理装置。
【請求項５】
前記指示手段は、自装置を操作することによって自装置の使用を許可されている第１の使用者以外の第２の使用者が前記他の装置を操作することによって自装置の使用を許可されている場合に、自装置の前記第１の機能の使用状況を表示しないようにする指示を、前記他の装置に対して行うことを特徴とする請求項２に記載の処理装置。
【請求項６】
前記指示手段は、前記第２の使用者が予め定められた権限を有していれば、自装置の前記第１の機能の使用状況を更に表示する指示を、前記他の装置に対して行うことを特徴とする請求項５に記載の処理装置。
【請求項７】
前記他の装置の前記第２の機能を特定する情報を自装置に表示する表示手段を更に備えたことを特徴とする請求項１に記載の処理装置。
【請求項８】
前記表示手段は、自装置を操作することによって自装置の使用を許可されている使用者が前記他の装置を操作することによっても自装置の使用を許可されている場合に、自装置の前記第１の機能の使用状況を自装置に更に表示することを特徴とする請求項７に記載の処理装置。
【請求項９】
自装置の機能である第１の機能を用いる処理を行う第１の処理装置と、
前記第１の処理装置の前記第１の機能の代わりとなる自装置の機能である第２の機能を用いる前記処理を行う第２の処理装置と
を備え、
前記第１の処理装置は、
前記第１の機能を用いる前記処理の指示を前記第２の処理装置から受け付ける受付手段と、
前記受付手段が前記指示を前記第２の処理装置から受け付けた場合に、前記第２の機能を用いる前記処理の指示を前記第２の処理装置に対して行う指示手段と
を備えたことを特徴とする処理システム。
【請求項１０】
コンピュータに、
自装置の機能である第１の機能を用いる処理の指示を他の装置から受け付ける機能と、
前記指示が前記他の装置から受け付けられた場合に、前記他の装置が自装置の前記第１の機能の代わりとなる機能である第２の機能を有していれば、当該第２の機能を用いる前記処理の指示を前記他の装置に対して行う機能と
を実現させるためのプログラム。
【発明の詳細な説明】
【技術分野】
【０００１】
本発明は、処理装置、処理システム及びプログラムに関する。
【背景技術】
【０００２】
ＰＣのユーザによるＰＣからのリモートログインを許可した複写機が、リモートログイン中に自己の操作パネルから操作者によるログインを受け付けると、操作者の識別情報を保持して、ジョブ選択画面を表示させ、操作者からメモリプリントが選択されると、リモートログイン中であり、操作パネルからログインした操作者がリモートログイン中のユーザである場合、ＰＣにＬＡＮを介してアクセスし、ＰＣのＵＳＢメモリに格納されているファイルの情報を取得し、操作者によりファイルが選択されると、選択されたファイルをＰＣから取得して、取得したファイルに基づくプリントを実行する技術は、知られている（例えば、特許文献１参照）。
【先行技術文献】
【特許文献】
【０００３】
【特許文献１】特開２０１０−２１２９９３号公報
【発明の概要】
【発明が解決しようとする課題】
【０００４】
ここで、ある装置の機能を用いる処理を行うにあたって、その処理を指示する指示者がその装置の前まで移動しその装置を占有してその処理を指示しなければならない構成を採用した場合には、指示者はその装置を占有できる状態になるまで待たなければならなかった。
【０００５】
本発明の目的は、ある装置の機能を用いる処理を行うにあたって、その処理を指示する指示者がその装置を占有できる状態になるまで待たなくてすむようにすることにある。
【課題を解決するための手段】
【０００６】
請求項１に記載の発明は、自装置の機能である第１の機能を用いる処理の指示を他の装置から受け付ける受付手段と、前記受付手段が前記指示を前記他の装置から受け付けた場合に、前記他の装置が自装置の前記第１の機能の代わりとなる機能である第２の機能を有していれば、当該第２の機能を用いる前記処理の指示を前記他の装置に対して行う指示手段とを備えたことを特徴とする処理装置である。
請求項２に記載の発明は、前記指示手段は、前記他の装置の前記第２の機能を特定する情報を表示する指示を、前記他の装置に対して行うことを特徴とする請求項１に記載の処理装置である。
請求項３に記載の発明は、前記指示手段は、自装置を操作することによって自装置の使用を許可されている使用者がいない場合に、自装置の前記第１の機能の使用状況を更に表示する指示を、前記他の装置に対して行うことを特徴とする請求項２に記載の処理装置である。
請求項４に記載の発明は、前記指示手段は、自装置を操作することによって自装置の使用を許可されている使用者が前記他の装置を操作することによっても自装置の使用を許可されている場合に、自装置の前記第１の機能の使用状況を更に表示する指示を、前記他の装置に対して行うことを特徴とする請求項２に記載の処理装置である。
請求項５に記載の発明は、前記指示手段は、自装置を操作することによって自装置の使用を許可されている第１の使用者以外の第２の使用者が前記他の装置を操作することによって自装置の使用を許可されている場合に、自装置の前記第１の機能の使用状況を表示しないようにする指示を、前記他の装置に対して行うことを特徴とする請求項２に記載の処理装置である。
請求項６に記載の発明は、前記指示手段は、前記第２の使用者が予め定められた権限を有していれば、自装置の前記第１の機能の使用状況を更に表示する指示を、前記他の装置に対して行うことを特徴とする請求項５に記載の処理装置である。
請求項７に記載の発明は、前記他の装置の前記第２の機能を特定する情報を自装置に表示する表示手段を更に備えたことを特徴とする請求項１に記載の処理装置である。
請求項８に記載の発明は、前記表示手段は、自装置を操作することによって自装置の使用を許可されている使用者が前記他の装置を操作することによっても自装置の使用を許可されている場合に、自装置の前記第１の機能の使用状況を自装置に更に表示することを特徴とする請求項７に記載の処理装置である。
請求項９に記載の発明は、自装置の機能である第１の機能を用いる処理を行う第１の処理装置と、前記第１の処理装置の前記第１の機能の代わりとなる自装置の機能である第２の機能を用いる前記処理を行う第２の処理装置とを備え、前記第１の処理装置は、前記第１の機能を用いる前記処理の指示を前記第２の処理装置から受け付ける受付手段と、前記受付手段が前記指示を前記第２の処理装置から受け付けた場合に、前記第２の機能を用いる前記処理の指示を前記第２の処理装置に対して行う指示手段とを備えたことを特徴とする処理システムである。
請求項１０に記載の発明は、コンピュータに、自装置の機能である第１の機能を用いる処理の指示を他の装置から受け付ける機能と、前記指示が前記他の装置から受け付けられた場合に、前記他の装置が自装置の前記第１の機能の代わりとなる機能である第２の機能を有していれば、当該第２の機能を用いる前記処理の指示を前記他の装置に対して行う機能とを実現させるためのプログラムである。
【発明の効果】
【０００７】
請求項１の発明によれば、ある装置の機能を用いる処理を行うにあたって、その処理を指示する指示者がその装置を占有できる状態になるまで待たなくてすむ。
請求項２の発明によれば、ある装置の機能を用いる処理を行うにあたってその処理を指示する指示者がその装置を占有できる状態になるまで待たなくてすむようにするための他の装置の機能を、他の装置において知ることができる。
請求項３の発明によれば、ある装置の機能を用いる処理を行うにあたって、その機能の使用状況も、他の装置において知ることができる。
請求項４の発明によれば、ある装置の機能を用いる処理を行うにあたって、その機能の使用状況も、他の装置において知ることができる。
請求項５の発明によれば、ある装置の機能を用いる処理を行うにあたって、その処理を指示する指示者が使用できない機能の使用状況も他の装置に表示するよう構成された場合に比較して、他の装置に表示される情報を簡略化することができる。
請求項６の発明によれば、ある装置の機能を用いる処理を行うにあたって、その機能の使用状況も、他の装置において知ることができる。
請求項７の発明によれば、ある装置の機能を用いる処理を行うにあたってその処理を指示する指示者がその装置を占有できる状態になるまで待たなくてすむようにするための他の装置の機能を、その装置において知ることができる。
請求項８の発明によれば、ある装置の機能を用いる処理を行うにあたって、その機能の使用状況も、その装置において知ることができる。
請求項９の発明によれば、ある装置の機能を用いる処理を行うにあたって、その処理を指示する指示者がその装置を占有できる状態になるまで待たなくてすむ。
請求項１０の発明によれば、ある装置の機能を用いる処理を行うにあたって、その処理を指示する指示者がその装置を占有できる状態になるまで待たなくてすむ。
【図面の簡単な説明】
【０００８】
【図１】本発明の実施の形態が適用される画像処理システムの全体構成例を示した図である。
【図２】本発明の実施の形態における画像処理装置のハードウェア構成例を示した図である。
【図３】本発明の実施の形態における携帯端末のハードウェア構成例を示した図である。
【図４】（ａ）は画像処理装置のローカルＵＩに表示されるアプリ選択画面を例示した図であり、（ｂ）は携帯端末のリモートＵＩに表示されるアプリ選択画面を例示した図である。
【図５】（ａ），（ｂ）は携帯端末のリモートＵＩに表示されるメディアポート通知画面を例示した図である。
【図６】（ａ）は画像処理装置のローカルＵＩに表示されるメディアポート通知画面を例示した図であり、（ｂ）は携帯端末のリモートＵＩに表示されるメディアポート通知画面を例示した図である。
【図７】（ａ），（ｂ）は画像処理装置のローカルＵＩに表示されるメディアポート通知画面を例示した図である。
【図８】（ａ），（ｂ）は携帯端末のリモートＵＩに表示されるメディアポート通知画面を例示した図である。
【図９】携帯端末のリモートＵＩに表示されるメディアポート通知画面を例示した図である。
【図１０】本発明の実施の形態における画像処理装置の機能構成例を示したブロック図である。
【図１１】本発明の実施の形態における画像処理装置のローカルログインに対する動作例を示したフローチャートである。
【図１２】本発明の実施の形態における画像処理装置のリモートログインに対する動作例を示したフローチャートである。
【発明を実施するための形態】
【０００９】
以下、添付図面を参照して、本発明の実施の形態について詳細に説明する。
【００１０】
［画像処理システムの全体構成］
図１は、本実施の形態が適用される画像処理システムの全体構成例を示した図である。図示するように、この画像処理システムは、画像処理装置１０と、携帯端末２０ａ，２０ｂとを含む。尚、以下では、携帯端末２０ａ，２０ｂは、それぞれ、ユーザＡ、ユーザＢによって使用されるものとして説明する。但し、これらを区別しない場合は、携帯端末２０と称し、その台数は２つには限らないものとする。
【００１１】
画像処理装置１０は、紙等の記録媒体への画像形成、紙等の記録媒体からの画像読取り、公衆回線への画像送信、公衆回線からの画像受信等の画像処理を行う装置である。但し、これらの少なくとも１つを行うものであってもよい。例えば、画像形成のみを行う観点からはプリンタであり、画像読取りのみを行う観点からはスキャナであり、画像読取り及び画像形成を行う観点からはコピー機であり、画像読取り及び画像送信又は画像受信及び画像形成を行う観点からはファクシミリである。また、画像処理装置１０は、携帯端末２０と無線通信により接続可能になっており、例えば、携帯端末２０から無線で送信された画像を印刷したり、スキャンした画像を携帯端末２０に無線で送信したりできるようになっている。本実施の形態では、処理装置、第１の処理装置の一例として、画像処理装置１０を設けている。
【００１２】
携帯端末２０は、画像処理装置１０に画像処理を指示するコンピュータ装置である。携帯端末２０は、上述したように、画像処理装置１０と無線通信により接続可能になっており、例えば、画像処理装置１０で印刷する画像を送信したり、画像処理装置１０で読み取られた画像を受信したりする。ここで、携帯端末２０としては、例えば、スマートフォンを用いるとよい。本実施の形態では、他の装置、第２の処理装置の一例として、携帯端末２０を設けている。
【００１３】
［画像読取装置のハードウェア構成］
図２は、本実施の形態における画像処理装置１０のハードウェア構成例を示した図である。図示するように、画像処理装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、有線通信インターフェース（以下、「有線通信Ｉ／Ｆ」と表記する）１８と、無線通信インターフェース（以下、「無線通信Ｉ／Ｆ」と表記する）１９１と、アンテナ１９２とを備える。
【００１４】
ＣＰＵ１１は、ＲＯＭ１３等に記憶された各種プログラムをＲＡＭ１２にロードして実行することにより、後述する各機能を実現する。
【００１５】
ＲＡＭ１２は、ＣＰＵ１１の作業用メモリ等として用いられるメモリである。
【００１６】
ＲＯＭ１３は、ＣＰＵ１１が実行する各種プログラム等を記憶するメモリである。
【００１７】
ＨＤＤ１４は、画像読取部１６が読み取った画像データや画像形成部１７における画像形成にて用いる画像データ等を記憶する例えば磁気ディスク装置である。
【００１８】
操作パネル１５は、各種情報の表示やユーザからの操作入力の受付を行う例えばタッチパネルである。ここで、操作パネル１５は、各種情報が表示されるディスプレイと、指やスタイラスペン等で指示された位置を検出する位置検出シートとからなる。或いは、タッチパネルに代えて、ディスプレイ及びキーボードを用いてもよい。ここで、操作パネル１５は、画像処理装置１０のローカルＵＩとしても機能し、このローカルＵＩを用いたログイン（以下、「ローカルログイン」という）を可能とするものである。１人のユーザのみが同時にローカルログインすることが可能になっている。尚、ローカルログインとは、換言すれば、自装置を操作することによって自装置の使用を許可されることである。
【００１９】
画像読取部１６は、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２０】
画像形成部１７は、記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
【００２１】
有線通信Ｉ／Ｆ１８は、図示しない通信回線を介して他の装置、例えばＰＣ等の端末装置との間で各種情報の送受信を行う。
【００２２】
無線通信Ｉ／Ｆ１９１は、携帯端末２０との間で無線通信により各種情報の送受信を行う。ここで、無線通信としては、Ｂｌｕｅｔｏｏｔｈ（登録商標）、Ｗｉ−Ｆｉ Ｄｉｒｅｃｔ（登録商標）等を用いるとよい。
【００２３】
アンテナ１９２は、無線通信Ｉ／Ｆ１９１から供給された各種情報を無線電波で無線ネットワーク環境に送出し、無線ネットワーク環境から無線電波で受信した各種情報を無線通信Ｉ／Ｆ１９１に供給する。
【００２４】
［携帯端末のハードウェア構成］
図３は、本実施の形態における携帯端末２０のハードウェア構成例を示した図である。図示するように、携帯端末２０は、演算手段であるＣＰＵ２１と、記憶手段であるＲＡＭ２２及びＲＯＭ２３と、各種情報の表示やユーザからの操作入力の受付を行うタッチパネル２４と、マイクロフォン等の音声入力機構２５と、スピーカ等の音声出力機構２６とを備える。ここで、タッチパネル２４は、画像処理装置１０に対するリモートＵＩとしても機能し、このリモートＵＩを用いたログイン（以下、「リモートログイン」という）を可能とするものである。画像処理装置１０は、同時に複数のユーザがリモートログインすることが可能なマルチログインに対応している。尚、リモートログインとは、換言すれば、他の装置を操作することによって自装置の使用を許可されることである。また、Ｂｌｕｅｔｏｏｔｈ（登録商標）、Ｗｉ−Ｆｉ Ｄｉｒｅｃｔ（登録商標）等の無線通信により画像処理装置１０との間で各種情報の送受信を行う無線通信Ｉ／Ｆ２７を備える。更に、基地局を介して無線通信を行うための無線回路２８及びアンテナ２９を備える。ここで、無線回路２８には、図示しないが、無線で送受信されるデジタルデータの信号処理を行なうベースバンドＬＳＩが含まれるものとする。
【００２５】
［本実施の形態の概要］
本実施の形態では、このような画像処理システムにおいて、画像処理装置１０の機能に対する代替機能を携帯端末２０が有していれば、画像処理装置１０は、この代替機能を用いて処理を行うよう、携帯端末２０を制御する。その際、画像処理装置１０は、自装置の機能に関する情報又は携帯端末２０の代替機能に関する情報をローカルＵＩ又はリモートＵＩに表示する。以下、このような機能としてメディアを挿入するためのメディアポートを例にとり、ローカルＵＩ及びリモートＵＩの具体例を用いて、本実施の形態の概要を説明する。
【００２６】
まず、初期状態でローカルＵＩ又はリモートＵＩに最初に表示される画面について説明する。
【００２７】
図４（ａ）は、ローカルＵＩに表示されるアプリ選択画面１１１を示した図である。尚、ここでは、アプリ選択画面１１１の一部でないが、ローカルＵＩの横に設けられたメディアポート１０１も示している。また、アプリ選択画面１１１は、画像処理装置１０に実行させるアプリケーション（以下、「アプリ」という）を選択するための画面である。
【００２８】
一方、図４（ｂ）は、リモートＵＩに表示されるアプリ選択画面２１１を示した図である。尚、ここでは、アプリ選択画面２１１の一部でないが、リモートＵＩの周辺部に設けられたメディアポート２０１，２０２も示している。また、アプリ選択画面２１１は、画像処理装置１０に実行させるアプリケーション（アプリ）を選択するための画面である。
【００２９】
ここで、メディアとしては、例えば、ＵＳＢ（Universal Serial Bus）メモリや、ＳＤカード（登録商標）が用いられる。
【００３０】
また、アプリ選択画面１１１とアプリ選択画面２１１とは同じであり、何れの画面においても、メディアに記憶されたデータをプリントする「ＰｒｉｎｔＦｒｏｍＭｅｄｉａ」、スキャンしたデータをメディアに記憶する「ＳｃａｎＴｏＭｅｄｉａ」等、メディアを利用したアプリ（以下、「メディア利用アプリ」という）を選択できるようになっている。即ち、アプリ選択画面１１１上でメディア利用アプリが選択されると、メディアポート１０１に挿入されたメディアを利用して処理が行われ、アプリ選択画面２１１上でメディア利用アプリが選択されると、メディアポート２０１又はメディアポート２０２に挿入されたメディアを利用して処理が行われる。
【００３１】
次に、アプリ選択画面１１１，２１１上で何れかのメディア利用アプリが選択された場合にローカルＵＩ又はリモートＵＩに表示される画面について説明する。
【００３２】
図５（ａ），（ｂ）は、画像処理装置１０にローカルログインしているユーザがおらず、ユーザＡが画像処理装置１０に携帯端末２０ａからリモートログインしている場合に、リモートＵＩに表示されるメディアポート通知画面２１２を示した図である。図示するように、メディアポート通知画面２１２には、画像処理装置１０のメディアポート１０１の情報と、携帯端末２０のメディアポート２０１，２０２の情報とが表示されている。但し、（ａ）では、画像処理装置１０のメディアポート１０１が利用されていないことを想定しているので、メディアポート１０１が利用可能な旨が表示されている。一方、（ｂ）では、画像処理装置１０のメディアポート１０１が利用されていることを想定しているので、メディアポート１０１が利用不可な旨が表示される。
【００３３】
図６（ａ），（ｂ）は、ユーザＡが、画像処理装置１０にローカルログインし、かつ、画像処理装置１０に携帯端末２０ａからリモートログインしている場合に、ローカルＵＩに表示されるメディアポート通知画面１１２と、リモートＵＩに表示されるメディアポート通知画面２１２とを、それぞれ示した図である。図示するように、ローカルＵＩに表示されるメディアポート通知画面１１２と、リモートＵＩに表示されるメディアポート通知画面２１２とは同じであり、何れの画面においても、画像処理装置１０のメディアポート１０１の情報と、携帯端末２０のメディアポート２０１，２０２の情報とが表示されている。そして、画像処理装置１０のメディアポート１０１も携帯端末２０のメディアポート２０１，２０２も利用されていないことを想定しているので、メディアポート１０１，２０１，２０２が利用可能な旨が表示されている。尚、この例では、ユーザＡが１つの携帯端末２０からリモートログインしたので、１つの携帯端末２０のメディアポートの情報が表示されているが、ユーザＡが複数の携帯端末２０からリモートログインした場合は、携帯端末２０のメディアポートの情報は、リモートログインに用いられた携帯端末２０の台数分表示される。
【００３４】
図７（ａ），（ｂ）は、ユーザＡが画像処理装置１０にローカルログインし、ユーザＢが画像処理装置１０に携帯端末２０ｂからリモートログインしている場合に、ローカルＵＩに表示されるメディアポート通知画面１１２を示した図である。このうち、（ａ）は、ユーザＡがローカルＵＩでメディア利用アプリの使用を開始したがまだメディアポート１０１にメディアを挿入していない場合のメディアポート通知画面１１２を示す。つまり、ユーザＢがリモートＵＩからメディア利用アプリを使用していても、ローカルＵＩにはユーザＡが利用可能な画像処理装置１０のメディアポート１０１の情報しか表示されない。また、ユーザＢが携帯端末２０ｂのメディアポート２０１，２０２に挿入したメディアに記憶されたデータを画像処理装置１０で印刷中であっても、このようなメディアポート通知画面１１２が表示される。例えば、ユーザＢがリモートＵＩから「ＰｒｉｎｔＦｒｏｍＭｅｄｉａ」を使用していたとしても、マルチログインに対応しているので、ユーザＡは画像処理装置１０のメディアポート１０１を利用した「ＰｒｉｎｔＦｒｏｍＭｅｄｉａ」を使用可能である。更に、（ｂ）は、ユーザＡがメディアポート１０１にメディアを挿入した場合のメディアポート通知画面１１２を示す。マルチログインに対応しているので、ユーザＡ及びユーザＢの両方がメディア利用アプリを使用してよく、その場合でもローカルＵＩには画像処理装置１０のメディアポート１０１の情報しか表示されない。
【００３５】
図８（ａ），（ｂ）は、ユーザＡが画像処理装置１０にローカルログインし、ユーザＢが画像処理装置１０に携帯端末２０ｂからリモートログインしている場合に、リモートＵＩに表示されるメディアポート通知画面２１２を示した図である。このうち、（ａ）は、ユーザＢがリモートＵＩでメディア利用アプリの使用を開始したがまだメディアポート２０１，２０２にメディアを挿入していない場合のメディアポート通知画面２１２を示す。つまり、ユーザＡがローカルＵＩからメディア利用アプリを使用していても、リモートＵＩにはユーザＢが利用可能な携帯端末２０ｂのメディアポート２０１，２０２の情報しか表示されない。また、ユーザＡが画像処理装置１０のメディアポート１０１に挿入したメディアに記憶されたデータを画像処理装置１０で印刷中であっても、このようなメディアポート通知画面２１２が表示される。例えば、ユーザＡがローカルＵＩから「ＰｒｉｎｔＦｒｏｍＭｅｄｉａ」を使用していたとしても、マルチログインに対応しているので、ユーザＢは携帯端末２０ｂのメディアポート２０１，２０２を利用した「ＰｒｉｎｔＦｒｏｍＭｅｄｉａ」を使用可能である。更に、（ｂ）は、ユーザＢがメディアポート２０１，２０２の何れかにメディアを挿入した場合のメディアポート通知画面２１２を示す。マルチログインに対応しているので、ユーザＡ及びユーザＢの両方がメディア利用アプリを使用してよく、その場合でもリモートＵＩには携帯端末２０ｂのメディアポート２０１，２０２の情報しか表示されない。
【００３６】
図９は、ユーザＡが画像処理装置１０にローカルログインし、ユーザＢが画像処理装置１０に携帯端末２０ｂからリモートログインしている場合に、リモートＵＩに表示されるメディアポート通知画面２１２の別の例を示した図である。このような場合、図８（ａ），（ｂ）に示したように、通常は、リモートＵＩにはユーザＢが利用可能な携帯端末２０ｂのメディアポート２０１，２０２の情報しか表示されない。しかしながら、ここでは、ユーザＢが管理者権限等の予め定められた権限を有することを想定しているので、他のユーザであるユーザＡが利用中のメディアポート１０１の情報も表示されている。
【００３７】
尚、図５〜図９に示したメディアポート通知画面１１２及びメディアポート通知画面２１２はあくまで一例であり、画面は様々に変更してよい。例えば、図６（ａ）のメディアポート通知画面１１２では、画像処理装置１０のメディアポート１０１の情報及び携帯端末２０のメディアポート２０１，２０２の情報の両方を表示するようにしたが、携帯端末２０のメディアポート２０１，２０２の情報のみを表示するようにしてよい。また、図５（ａ），（ｂ）、図６（ｂ）及び図９のメディアポート通知画面２１２でも、画像処理装置１０のメディアポート１０１の情報及び携帯端末２０のメディアポート２０１，２０２の情報の両方を表示するようにしたが、携帯端末２０のメディアポート２０１，２０２の情報のみを表示するようにしてよい。
【００３８】
［画像処理装置の機能構成］
図１０は、以上述べたようなローカルＵＩ又はリモートＵＩを表示する画像処理装置１０の機能構成例を示したブロック図である。図示するように、画像処理装置１０は、操作受付部３１と、関連付け情報管理部３２と、表示制御部３３と、利用状態情報管理部３４とを備える。また、受信部４１と、関連付け情報管理部４２と、送信部４３と、利用状態情報管理部４４とを備える。更に、関連付け情報記憶部５２と、利用状態情報記憶部５４と、利用可否判定部５５とを備える。
【００３９】
操作受付部３１は、ユーザが画像処理装置１０のローカルＵＩからログインする操作を行うと、その操作を受け付け、その旨を関連付け情報管理部３２に出力する。また、ユーザがローカルＵＩに表示されたアプリ選択画面１１１上でメディア利用アプリを選択する操作を行うと、その操作を受け付け、その旨を利用状態情報管理部３４に出力する。更に、ユーザがローカルＵＩからメディアポート１０１の利用終了を入力する操作を行うと、その操作を受け付け、その旨を関連付け情報管理部３２及び利用状態情報管理部３４に出力する。
【００４０】
関連付け情報管理部３２は、ユーザがローカルＵＩからログインする操作を操作受付部３１が受け付けた旨が伝えられると、ログインしたユーザ（ログインユーザ）を示す情報（以下、「ログインユーザ情報」という）と、画像処理装置１０のどの位置にメディアポートが設けられているか等の能力を示す情報（以下、「装置能力情報」という）とを取得し、これらを関連付けた関連付け情報を関連付け情報記憶部５２に記憶する。また、ユーザがメディアポート１０１の利用終了を入力する操作を操作受付部３１が受け付けた旨が伝えられると、先に関連付け情報記憶部５２に記憶した関連付け情報を削除する。
【００４１】
表示制御部３３は、各種画面をローカルＵＩに表示するように制御する。ここで、各種画面としては、ユーザがアプリを選択する際に用いられるアプリ選択画面１１１、アプリ選択画面１１１上でユーザがメディア利用アプリを選択した際に画像処理装置１０のメディアポート１０１又は携帯端末２０のメディアポート２０１，２０２に関する情報を通知するメディアポート通知画面１１２等がある。本実施の形態では、他の装置の機能である第２の機能を特定する情報の一例として、メディアポート２０１，２０２に関する情報を用いており、その情報を自装置に表示する表示手段の一例として、表示制御部３３を設けている。
【００４２】
利用状態情報管理部３４は、ユーザがアプリ選択画面１１１上でメディア利用アプリを選択する操作を操作受付部３１が受け付けた旨が伝えられると、画像処理装置１０のメディアポート１０１の利用状態を確認して利用状態を示す情報（以下、「利用状態情報」という）を利用状態情報記憶部５４に記憶する。また、ユーザがメディアポート１０１の利用終了を入力する操作を操作受付部３１が受け付けた旨が伝えられると、先に利用状態情報記憶部５４に記憶した利用状態情報を削除する。
【００４３】
受信部４１は、ユーザが携帯端末２０のリモートＵＩからログインする操作を行うと、その操作が行われたことを示す情報を受信し、その旨を関連付け情報管理部４２に出力する。また、ユーザがリモートＵＩに表示されたアプリ選択画面２１１上でメディア利用アプリを選択する操作を行うと、その操作が行われたことを示す情報を受信し、その旨を利用状態情報管理部４４に出力する。更に、ユーザがリモートＵＩからメディアポート２０１，２０２の利用終了を入力する操作を行うと、その操作が行われたことを示す情報を受信し、その旨を関連付け情報管理部４２及び利用状態情報管理部４４に出力する。本実施の形態では、自装置の機能である第１の機能を用いる処理の指示を他の装置から受け付ける受付手段の一例として、受信部４１を設けている。
【００４４】
関連付け情報管理部４２は、ユーザがリモートＵＩからログインする操作が行われたことを示す情報を受信部４１が受信した旨が伝えられると、ログインしたユーザ（ログインユーザ）を示す情報（ログインユーザ情報）と、携帯端末２０のどの位置にメディアポートが設けられているか等の能力を示す情報（装置能力情報）とを取得し、これらを関連付けた関連付け情報を関連付け情報記憶部５２に記憶する。また、ユーザがメディアポート２０１，２０２の利用終了を入力する操作が行われたことを示す情報を受信部４１が受信した旨が伝えられると、先に関連付け情報記憶部５２に記憶した関連付け情報を削除する。
【００４５】
送信部４３は、各種画面をリモートＵＩに表示するように送信する。ここで、各種画面としては、ユーザがアプリを選択する際に用いられるアプリ選択画面２１１、アプリ選択画面２１１上でユーザがメディア利用アプリを選択した際に携帯端末２０のメディアポート１０１又は携帯端末２０のメディアポート２０１，２０２に関する情報を通知するメディアポート通知画面２１２等がある。本実施の形態では、他の装置の機能である第２の機能を用いる処理の指示を他の装置に対して行う指示手段の一例として、送信部４３を設けている。また、他の装置の機能である第２の機能を特定する情報の一例として、メディアポート２０１，２０２に関する情報を用いており、その情報を表示する指示を他の装置に対して行う指示手段の一例としても、送信部４３を設けている。
【００４６】
利用状態情報管理部４４は、ユーザがアプリ選択画面２１１上でメディア利用アプリを選択する操作が行われたことを示す情報を受信部４１が受信した旨が伝えられると、画像処理装置１０のメディアポート１０１及び携帯端末２０のメディアポート２０１，２０２の利用状態を確認して利用状態を示す情報（利用状態情報）を利用状態情報記憶部５４に記憶する。また、ユーザがメディアポート２０１，２０２の利用終了を入力する操作が行われたことを示す情報を受信部４１が受信した旨が伝えられると、先に利用状態情報記憶部５４に記憶した利用状態情報を削除する。
【００４７】
関連付け情報記憶部５２は、関連付け情報管理部３２又は関連付け情報管理部４２の指示に従って、ログインユーザを示すログインユーザ情報と、装置のどの位置にメディアポートが設けられているか等の能力を示す装置能力情報とを関連付けた関連付け情報を記憶する。尚、関連付け情報記憶部５２は、ネットワーク接続されたサーバ（図示せず）上に設けてよく、この場合はネットワーク通信で記憶内容を問い合わせることになる。
【００４８】
利用状態情報記憶部５４は、利用状態情報管理部３４又は利用状態情報管理部４４の指示に従って、画像処理装置１０のメディアポート１０１及び携帯端末２０のメディアポート２０１，２０２の利用状態を示す利用状態情報を記憶する。尚、利用状態情報記憶部５４も、ネットワーク接続されたサーバ（図示せず）上に設けてよく、この場合はネットワーク通信で記憶内容を問い合わせることになる。
【００４９】
利用可否判定部５５は、関連付け情報管理部３２が関連付け情報記憶部５２に記憶した関連付け情報及び関連付け情報管理部４２が関連付け情報記憶部５２に記憶した関連付け情報と、利用状態情報管理部３４が利用状態情報記憶部５４に記憶した利用状態情報及び利用状態情報管理部４４が利用状態情報記憶部５４に記憶した利用状態情報とを参照して、ログインユーザが画像処理装置１０のメディアポート１０１及び携帯端末２０のメディアポート２０１，２０２を利用できるかどうかを判定する。そして、メディアポート通知画面１１２に反映されるようにこの判定結果を表示制御部３３に出力し、メディアポート通知画面２１２に反映されるようにこの判定結果を送信部４３に出力する。
【００５０】
［画像処理装置の動作］
図１１は、本実施の形態における画像処理装置１０のローカルログインに対する動作例を示したフローチャートである。
【００５１】
図示するように、ユーザが画像処理装置１０にローカルログインすると、画像処理装置１０では、まず、操作受付部３１が、ローカルログインを受け付ける（ステップ３０１）。すると、関連付け情報管理部３２が、ログインユーザを示すログインユーザ情報と、画像処理装置１０のメディアポート１０１等の装置の能力を示す装置能力情報とを関連付けた関連付け情報を関連付け情報記憶部５２に記憶する（ステップ３０２）。そして、表示制御部３３が、ローカルＵＩ上にメディア利用アプリを表示する（ステップ３０３）。具体的には、メディア利用アプリを含むアプリ選択画面１１１をローカルＵＩ上に表示するように、操作パネル１５を制御する。
【００５２】
次に、操作受付部３１は、ステップ３０３で表示されたメディア利用アプリをユーザが選択したかどうかを判定する（ステップ３０４）。その結果、ユーザがメディア利用アプリを選択していないと判定すれば、操作受付部３１は、ステップ３０３〜３０４を繰り返す。一方、ユーザがメディア利用アプリを選択したと判定されれば、利用状態情報管理部３４が、画像処理装置１０のメディアポート１０１の利用状態を確認し、利用状態を示す利用状態情報を利用状態情報記憶部５４に記憶する（ステップ３０５）。ここで、利用状態を確認したのは、図５〜図９の画面例に示したように「メディアポートにメディアを挿入してください」、「実行中・・・」等を表示するかを判断するためである。
【００５３】
このように、関連付け情報記憶部５２に関連付け情報が記憶され、利用状態情報記憶部５４に利用状態情報が記憶されると、利用可否判定部５５が、これらの情報を参照して、ログインユーザが画像処理装置１０のメディアポート１０１及び携帯端末２０のメディアポート２０１，２０２を利用できるかどうかを判定する（ステップ３０６）。具体的には、まず、関連付け情報記憶部５２に記憶された関連付け情報でこのログインユーザを示すログインユーザ情報に関連付けられた装置能力情報を取得し、画像処理装置１０のメディアポート１０１及び携帯端末２０のメディアポート２０１，２０２を特定する。次に、利用状態情報記憶部５４に記憶された利用状態情報により示されるこのメディアポート１０１，２０１，２０２の利用状態を認識する。次いで、ログインユーザがメディアポート１０１，２０１，２０２を利用できるかどうかを判定する。
【００５４】
これにより、表示制御部３３が、ローカルＵＩ上にログインユーザの画像処理装置１０のメディアポート１０１及び携帯端末２０のメディアポート２０１，２０２の利用状態を表示する（ステップ３０７）。具体的には、画像処理装置１０のメディアポート１０１及び携帯端末２０のメディアポート２０１，２０２の利用状態を含むメディアポート通知画面１１２をローカルＵＩ上に表示するように、操作パネル１５を制御する。
【００５５】
次いで、操作受付部３１は、ユーザが画像処理装置１０のメディアポート１０１及び携帯端末２０のメディアポート２０１，２０２の利用を終了したかどうかを判定する（ステップ３０８）。ユーザが画像処理装置１０のメディアポート１０１及び携帯端末２０のメディアポート２０１，２０２の利用を終了していないと判定すれば、操作受付部３１は、ステップ３０７〜３０８を繰り返す。一方、ユーザが画像処理装置１０のメディアポート１０１及び携帯端末２０のメディアポート２０１，２０２の利用を終了したと判定されれば、関連付け情報管理部３２が、ステップ３０２で記憶された関連付け情報を、利用状態情報管理部３４が、ステップ３０５で記憶された利用状態情報を、それぞれ削除し（ステップ３０９）、処理を終了する。
【００５６】
図１２は、本実施の形態における画像処理装置１０のリモートログインに対する動作例を示したフローチャートである。
【００５７】
図示するように、ユーザが画像処理装置１０にリモートログインすると、画像処理装置１０では、まず、受信部４１が、リモートログインが行われた旨の情報を受信する（ステップ４０１）。すると、関連付け情報管理部４２が、ログインユーザを示すログインユーザ情報と、携帯端末２０のメディアポート２０１，２０２等の装置の能力を示す装置能力情報とを関連付けた関連付け情報を関連付け情報記憶部５２に記憶する（ステップ４０２）。そして、送信部４３が、リモートＵＩ上にメディア利用アプリを表示する（ステップ４０３）。具体的には、メディア利用アプリを含むアプリ選択画面２１１をリモートＵＩ上に表示するように、表示のための情報を携帯端末２０に送信する。
【００５８】
次に、受信部４１は、ステップ４０３で表示されたメディア利用アプリをユーザが選択した旨の情報を受信したかどうかを判定する（ステップ４０４）。その結果、ユーザがメディア利用アプリを選択した旨の情報を受信していないと判定すれば、受信部４１は、ステップ４０３〜４０４を繰り返す。一方、ユーザがメディア利用アプリを選択した旨の情報を受信したと判定されれば、利用状態情報管理部４４が、画像処理装置１０のメディアポート１０１及び携帯端末２０のメディアポート２０１，２０２の利用状態を確認し、利用状態を示す利用状態情報を利用状態情報記憶部５４に記憶する（ステップ４０５）。ここで、利用状態を確認したのは、図５〜図９の画面例に示したように「メディアポートにメディアを挿入してください」、「実行中・・・」等を表示するかを判断するためである。また、携帯端末２０のメディアポート２０１，２０２だけでなく画像処理装置１０のメディアポート１０１についても利用状態を確認したのは、図５（ａ），（ｂ）に示したように画像処理装置１０にローカルログインしているユーザがいない場合には、図１１のフローチャートで画像処理装置１０のメディアポート１０１の利用状態が確認できないからである。そういう意味で、ステップ４０５では、画像処理装置１０にローカルログインしているユーザがいない場合にのみ、画像処理装置１０のメディアポート１０１の利用状態を確認するようにしてもよい。
【００５９】
このように、関連付け情報記憶部５２に関連付け情報が記憶され、利用状態情報記憶部５４に利用状態情報が記憶されると、利用可否判定部５５が、これらの情報を参照して、ログインユーザが画像処理装置１０のメディアポート１０１及び携帯端末２０のメディアポート２０１，２０２を利用できるかどうかを判定する（ステップ４０６）。具体的には、まず、関連付け情報記憶部５２に記憶された関連付け情報でこのログインユーザを示すログインユーザ情報に関連付けられた装置能力情報を取得し、画像処理装置１０のメディアポート１０１及び携帯端末２０のメディアポート２０１，２０２を特定する。次に、利用状態情報記憶部５４に記憶された利用状態情報により示されるこのメディアポート１０１，２０１，２０２の利用状態を認識する。次いで、ログインユーザがメディアポート１０１，２０１，２０２を利用できるかどうかを判定する。
【００６０】
これにより、送信部４３が、リモートＵＩ上にログインユーザの画像処理装置１０のメディアポート１０１及び携帯端末２０のメディアポート２０１，２０２の利用状態を表示する（ステップ４０７）。具体的には、画像処理装置１０のメディアポート１０１及び携帯端末２０のメディアポート２０１，２０２の利用状態を含むメディアポート通知画面２１２をリモートＵＩ上に表示するように、表示のための情報を携帯端末２０に送信する。
【００６１】
次いで、受信部４１は、ユーザが画像処理装置１０のメディアポート１０１及び携帯端末２０のメディアポート２０１，２０２の利用を終了した旨の情報を受信したかどうかを判定する（ステップ４０８）。ユーザが画像処理装置１０のメディアポート１０１及び携帯端末２０のメディアポート２０１，２０２の利用を終了した旨の情報を受信していないと判定すれば、受信部４１は、ステップ４０７〜４０８を繰り返す。一方、ユーザが画像処理装置１０のメディアポート１０１及び携帯端末２０のメディアポート２０１，２０２の利用を終了した旨の情報を受信したと判定されれば、関連付け情報管理部４２が、ステップ４０２で記憶された関連付け情報を、利用状態情報管理部４４が、ステップ４０５で記憶された利用状態情報を、それぞれ削除し（ステップ４０９）、処理を終了する。
【００６２】
尚、本実施の形態では、画像処理装置１０のメディアポート１０１が利用されているか否かに関わらず、携帯端末２０にメディアポート通知画面２１２を表示するようにしたが、この限りではない。画像処理装置１０のメディアポート１０１が別のユーザによって利用されている場合にのみ、携帯端末２０にメディアポート通知画面２１２を表示するようにしてもよい。
【００６３】
［変形例］
上記実施の形態では、画像処理装置１０及び携帯端末２０の機能としてメディアポートを例にとったが、これには限らない。画像処理装置１０の機能及び携帯端末２０の機能には、全く同じ機能ではないが、前者の機能の代わりに後者の機能を用いることができるものもある。例えば、画像処理装置１０の機能が画像読取部１６（スキャナ）であり、携帯端末２０の機能がカメラ（図示せず）であるような場合である。この場合は、変形例として、ユーザがスキャナを使おうとした際にスキャナが使用されていれば、携帯端末２０のカメラも使えることを携帯端末２０に知らせる、というものが考えられる。
【００６４】
また、この変形例において、画像処理装置１０の画像形成部１７（プリンタ）も使用されている場合には、携帯端末２０が、カメラで画像を取得し、その取得した画像を印刷するための中間言語に変換し、その中間言語に変換した画像を画像処理装置１０に送信するようにしてもよい。そして、画像を中間言語に変換中に、プリンタの使用が中止された場合には、中間言語への変換を中止し、取得した画像をそのまま画像処理装置１０に送信するようにしてもよい。
【００６５】
更に、この変形例において、携帯端末２０は、メディアポート２０１，２０２から取得された画像又はカメラ（図示せず）で取得した画像を、画像処理装置１０から送られた画面上で設定された設定値に従って変換し、変換後の画像を画像処理装置１０に送信するようにしてもよい。或いは、設定値が白黒印刷又は低解像度の場合にのみ、取得した画像を設定値に従って変換し、変換後の画像を画像処理装置１０に送信するようにしてもよい。
【００６６】
［プログラム］
本実施の形態における画像処理装置１０が行う処理は、例えば、アプリケーションソフトウェア等のプログラムとして用意される。
【００６７】
即ち、本実施の形態を実現するプログラムは、コンピュータに、自装置の機能である第１の機能を用いる処理の指示を他の装置から受け付ける機能と、指示が他の装置から受け付けられた場合に、他の装置が自装置の第１の機能の代わりとなる機能である第２の機能を有していれば、第２の機能を用いる処理の指示を他の装置に対して行う機能とを実現させるためのプログラムとして捉えられる。
【００６８】
尚、本実施の形態を実現するプログラムは、通信手段により提供することはもちろん、ＣＤ−ＲＯＭ等の記録媒体に格納して提供することも可能である。
【符号の説明】
【００６９】
１０…画像処理装置、２０ａ，２０ｂ…携帯端末、３１…操作受付部、３２，４２…関連付け情報管理部、３３…表示制御部、３４，４４…利用状態情報管理部、４１…受信部、４３…送信部、５２…関連付け情報記憶部、５４…利用状態情報記憶部、５５…利用可否判定部
【図１】
2018037816.tif 000003
【図２】
2018037816.tif 000004
【図３】
2018037816.tif 000005
【図４】
2018037816.tif 000006
【図５】
2018037816.tif 000007
【図６】
2018037816.tif 000008
【図７】
2018037816.tif 000009
【図８】
2018037816.tif 000010
【図９】
2018037816.tif 000011
【図１０】
2018037816.tif 000012
【図１１】
2018037816.tif 000013
【図１２】
2018037816.tif 000014